(57)【特許請求の範囲】
【請求項１】
ヒンジを介して開閉自在に吊持した戸体の自由端側の上下端面および又は錠前側端面にそれぞれ突没自在に設けた締まりラッチと、垂直移動子の上下動に連動して前記締まりラッチを突没させるリンク機構と、前記垂直移動子に連結されサムターンの回動により通電されて伸縮する電動シリンダとからなり、該電動シリンダは、戸体を開閉する把手に内蔵されていることを特徴とする戸体の封止装置。
【発明の詳細な説明】
【０００１】
【発明の属する技術分野】
本発明は、ヒンジを介して開閉自在に構成された防音ドア等における閉鎖時の気密性を確保するために、扉を枠体側に配した気密材に押圧する封止装置に関するものである。
【０００２】
【従来の技術】
従来、ドア等の気密性を確保するため、扉の錠前側である自由端側の上下端面または側端面に内装した突没自在な複数のラッチ体を、閉扉時にこれらラツチ体の先端側を枠体に設けた係止孔に突出係止させて、扉を枠体四周に配した気密材に押圧する技術が知られている。そして、ラッチ体の突没は、扉に設けたハンドルを手動によって回転操作することによりクランク機構を介して行うようになっている。
【０００３】
【発明が解決しようとする課題】
ところが、上述の従来技術のものはその操作時において、扉体を気密材側に人力で押し付けてハンドルの回転操作によりラッチ体を係止孔に強制的に嵌入係止させるものであるためラッチ体と該ラッチ体が係止する枠側の係止部との間に大きな摩擦力が生じて、その操作に多大な操作力を必要とするものであった。
また、操作ハンドル以外は全て戸体内に組み込まれており、建て付け精度の狂い等に起因するドア枠と戸体とのチリ寸法の変化に応じてラッチ体の突出ストロークを調整することが困難なため、ドア枠に対するラッチ体の係止状態が不安定になる恐れもあった。
【０００４】
【課題を解決するための手段】
本発明は、叙述の課題を解決するためになされたものであって、締まりラッチの操作を電気的に行うことによりその操作力の軽減を図るようにしたものであり、ヒンジを介して開閉自在に吊持した戸体の自由端側の上下端面および又は錠前側端面にそれぞれ突没自在に設けた締まりラッチと、垂直移動子の上下動に連動して前記締まりラッチを突没させるリンク機構と、前記垂直移動子に連結されサムターンの回動により通電されて伸縮する電動シリンダとからなり、該電動シリンダ装置は、戸体を開閉する把手に内蔵されていることを特徴とするものである。
【０００５】
【発明の実施の形態】
本発明に係る一実施の形態を図面に基づいて説明する。
図１は、建築用ドアの正面図であって、該ドアは、四方枠組してなるドア枠１に、戸体２がヒンジ３を介して開閉自在に吊持されて構成されており、戸体２の
吊り元側に対向する自由端側の上下端面各１箇所および錠前側端面３箇所の計５箇所に締まりラッチ６，６，・・・が、図２に示すように戸体２に内装されたリンク機構７を介してドア枠１側に向けてそれぞれ突没自在に設けてある。
４は、戸体２を開閉するための把手、５は戸体２の施錠をするためのサムターンである。
【０００６】
上記締まりラッチ６は、図２および図３に示すようにリンク機構７に連結されており、該リンク機構７は、垂直方向に設けた断面略コ字状の垂直ガイド８に複数個の垂直移動子１０をそれぞれ垂直方向移動自在に離間配設し、これら垂直移動子１０，１０同士がリンク１１により連結されている。
リンク１１は、２枚のリンク片１１ａ，１１ａの一端側をピン１２で屈曲自在に枢着し、他端側をそれぞれ垂直方向に位置する直近の垂直移動子１０，１０にピン１２を介して枢着されているものであるが、垂直方向に配設される複数のリンク１１は、垂直ガイド８に対して、その屈曲部１１ｂが左右交互に位置するよう配設されている。
【０００７】
また、垂直ガイド８には、その長手方向に直交して断面略コ字状の水平ガイド９が所定間隔を存して平行に複数形成されており、該水平ガイド９にはリンク１１の屈曲部１１ｂに枢着したピン１２が取り付けられた水平移動子１３がそれぞれ水平方向移動自在に設けられている。
そして、最上位置と最下位置の垂直移動子１０，１０、および各水平移動子１３の先端部には、それぞれ締まりラッチ６が固定してある。
【０００８】
このように構成されたリンク機構７は、図３（Ａ）の状態から垂直移動子１０の上下移動によるリンク１１の伸長を受けて図３（Ｂ）に示すように各締まりラッチ６，６が上下および左側方に突出するようになっており、図２の破線で示すように戸体２の自由端側に内装されている。
【０００９】
４は、戸体２を開閉するための円柱状に形成した把手であり、図５に示すように該把手４は一端側に小径部４ｃを有する可動部４ａと、小径部４ｃが遊嵌された固定部４ｂとで形成され、固定部４ｂにはヒンジ３側のドア枠１を通じて戸体２内に引き込まれた電源供給用の図示しないリード線に結線された電動シリンダ１６が収容されており、該電動シリンダ１６の伸縮部先端が可動部４ａの小径部４ｃに連結され、電動シリンダ１６の起動による伸縮で可動部４ａが上下動可能に構成してある。
また、電動シリンダ１６には、シリンダの伸縮位置を検知して電源を遮断するマイクロスイッチが設けられており、これによってシリンダのストロークの調整が可能となっている。
固定部４ｂは、取付部４ｅにより戸体２の表面に固定され、また可動部４ａは、戸体２の表面に穿設され上下方向を向く長孔１５を貫通する取付部４ｄによってリンク機構７の中間に位置する垂直移動子１０に固定されている。
【００１０】
一方、図４（Ａ）に示すように上記締まりラッチ６が突出する枠側の対向位置には、ラッチ受け１７がそれぞれ形成されており、該ラッチ受け１７は、枠側に穿設した孔部に取り付けられた箱型形状を有し、その内部には垂直軸に対して回動自在な円柱状の引き寄せローラ１７ａが設けてある。そして、締まりラッチ６は、引き寄せローラ１７ａに対向する面に傾斜部６ａが形成され、締まりラッチ６が突出してラッチ受け１７に嵌入する際、図４（Ｂ）のように傾斜部６ａが引き寄せローラ１７ａに誘導されてドア枠１の内周側に設けた気密材１ａ側に強制的に移動させられて戸体２が気密材１ａに押圧されるようになっている。
【００１１】
５は、戸体２の施解錠をするサムターンであり、つまみ部を回動することにより戸体２の自由端側にデッドボルト５ａを突没させるようにしたものであるが、該サムターン５は電動シリンダ１６を起動させるスイッチ部にも兼用されている。デッドボルト５ａの突出位置に対向した枠側には、デッドボルト５ａが嵌入するボルト受け１８が設けられ、該ボルト受け１８は、枠側に穿設した孔部に取り付けられた箱型に形成されている。
【００１２】
１４は、戸体２の端面に出没自在に設けた確認スイッチであり、該確認スイッチ１４が弾性付勢されて突出した戸体２の開扉状態ではサムターン５のスイッチ部への通電が遮断され、戸体２を閉扉して確認スイッチ１４がドア枠１に当接することによって没入させられた状態では、サムターン５のスイッチ部へ通電された状態になるように構成されている。
【００１３】
図６は、電動シリンダ１６、確認スイッチ１４、サムターン５のスイッチ部における配線図であり、図中ＮＦＢは主電源、ＫＳは確認スイッチ１４、ＬＳ０１は電動シリンダ１６の伸長時のリミットスイッチ、ＬＳ０２は電動シリンダ１６の縮退時のリミットスイッチ、ＰＢＦ，ＰＢＲはサムターン５の回動でＯＮ−ＯＦＦし電動シリンダ１６を伸長・縮退させるスイッチ、ＭＣＦ，ＭＣＲはリレーで開閉するスイッチであって、主電源ＮＦＢは壁体等の躯体側に取り付けられ、電動シリンダ１６およびリミットスイッチＬＳ０１，ＬＳ０２は把手４に内蔵され、確認スイッチＫＳとサムターン５のスイッチ部ＰＢＦ，ＰＢＲはこれらのリード線と共に戸体２に内装されている。
戸体２が開扉状態では電動シリンダ１６のリミツトスイッチＬＳ０１が閉じた状態になっており、閉扉されると確認スイッチＫＳが閉じサムターン５を回動してスイッチ部のＰＢＲを閉じるので電動シリンダ１６のシリンダは所定ストローク分だけ縮退動しリミットスイッチＬＳ０２により停止することとなる。
【００１４】
つぎに、叙述の如く構成した封止装置の作用を説明する。
まず、ドア枠１に対し戸体２を閉鎖すると、確認スイッチ１４が錠前側縦枠１に当接し強制的に没入させられて閉じ、次にサムターン５を回動するとスイッチ部が働いて電動シリンダ１６が起動してシリンダを下方に縮退動することとなり、該電動シリンダに連結された把手４の可動部４ａを下動させることとなるが、可動部４ａは取付部４ｄを介してリンク機構７の垂直移動子１０に連結されているので、該垂直移動子１０を下動させることになり、図４（Ｂ）に示すように上下に配したリンク１１は伸び、中間のリンク１１は縮まった状態に変姿する結果、各締まりラツチ６を戸体２の端面から突出させドア枠１の対向位置に設けたラッチ受け１７に嵌入することとなる。すると戸体２は、締まりラッチ６の先端に形成した傾斜部６ａが引き寄せローラ１７ａに誘導されてドア枠１に設けた気密材１ａ側に移動させられ、戸体２が気密材１ａに押圧された封止状態となり、電動シリンダ１６はリミツトスイッチによって停止することとなる。
また、戸板２を解放する場合は、上記と全く逆の状態、すなわち、サムターン５の解錠操作により、電動シリンダ１６のシリンダが伸長して把手の可動部４ａに連結された垂直移動子１０を上動させるのでリンク１１を介して各締まりラッチ６が戸体２内に没入することによって、戸体２の封止状態が解除される。
【００１５】
このようにして、サムターン５の回動操作をするだけで戸体２の封止状態とその解除をすることができるので、操作者に多大な労力をかけることがないものである。
また、把手４に電動シリンダ１６を内蔵し、該電動シリンダ部でストロークの調整を可能にしたので、建て付け精度の狂い等に起因するドア枠１と戸体２とのチリ寸法の変化に対しても、容易に締まりラッチの突出ストロークを対応させることができる。
なお、上述の実施の形態においては、戸体２の錠前側端面より３箇所から締まりラッチ６を突没させるようにした場合を示したが、締まりラッチ６を設ける箇所数は任意に設定することができる。また、把手４の可動部４ａは図２に示すように上から二番目に位置する垂直移動子１０に連結したものを示したが、例えば三番目の垂直移動子１０に連結してもよく、この場合には締まりラッチ６を突出するのに可動部４ａを上動させることはいうまでもない。
【００１６】
【発明の効果】
本発明は、叙述の如く構成したものであるから、戸体の自由端側端面においてその上下および側方の両方向から締まりラッチを突設させることができるので、戸体を枠側の気密材に対してより完全に密着させて高い封止状態を得ることができるばかりか、サムターンの回動操作のみで締まりラッチを電動シリンダにより枠側に突出させることができ、封止操作に労力を要することなく簡単に行うことができる。
また、電動シリンダを把手に内蔵したので、シリンダのメンテナンスが容易となり、扉厚の薄い戸体に対しても適用することができるものである。
【図面の簡単な説明】
【図１】本発明に係る封止装置を備えた建築用ドアの正面図である。
【図２】同上の封止装置を示す要部斜視図である。
【図３】（Ａ） リンク機構を示す全体正面図である。
（Ｂ）  締まりラッチを突出させた状態を示すリンク機構の全体正面図である。
【図４】（Ａ） 把手部分を中心とした封止装置の拡大側面図である。
（Ｂ） 同上の拡大正面図である。
【図５】（Ａ）  図１におけるＡ−Ａ断面図である。
（Ｂ）  同上の締まりラッチを突出させた状態を示す要部断面図である。
【図６】封止装置に係る配線図である。
【符号の説明】
１    ドア枠
２    戸体
４    把手
４ａ  可動部
４ｂ  固定部
５    サムターン
６    締まりラッチ
７    リンク機構
８    垂直ガイド
９    水平ガイド
１０    垂直移動子
１１    リンク
１３    水平移動子
１６    電動シリンダ
【図１】
0003661142.tif 000002
【図２】
0003661142.tif 000003
【図３】
0003661142.tif 000004
【図４】
0003661142.tif 000005
【図５】
0003661142.tif 000006
【図６】
0003661142.tif 000007